(57)【要約】【課題】  自分の馴染みの場所、好きな場所、行ってみたい場所、その場所における植物や樹木等の自然が、現在どういう環境状態であるかを、特に意識することなく、知らず知らずのうちに、感じ取ることができ、これによって、その場所や自然とのつながりを感じさせることができる環境情報通信システムを提供することを目的とする。【解決手段】  所定の環境情報を取得し、環境情報の環境属性を管理する環境情報収集装置と、各環境情報の環境属性と各ユーザのユーザ属性とを管理し、受信した環境情報を、宛先ユーザのユーザ属性に基づいて、宛先ユーザの環境情報出力装置に合う形式にデータを変換する環境情報サーバと、ネットワークを介して、環境情報サーバから受信した環境情報を出力する環境情報出力装置とを有する環境情報通信システムである。【選択図】  図１
2005135196.tif 000002
【特許請求の範囲】
【請求項１】
所定の環境情報を取得する複数のセンサを備えている環境情報取得手段と、上記環境情報の環境属性を管理する環境属性管理手段とを具備する環境情報収集装置と；
上記環境情報収集装置との通信を管理する通信管理手段と、各環境情報の環境属性と各ユーザのユーザ属性とを管理する属性管理手段と、受信した環境情報を、宛先ユーザのユーザ属性に基づいて、宛先ユーザの環境情報出力装置に合う形式にデータを変換するデータ変換手段とを具備する環境情報サーバと；
上記環境情報サーバから受信した環境情報を出力する環境情報出力手段と、端末属性情報、ユーザ情報を入出力するユーザ情報入出力手段と、ユーザ属性を管理するユーザ属性管理手段とを具備する環境情報出力装置と；
を有し、ネットワークを利用して、上記環境情報収集装置が設置されている場所の環境情報を、上記環境情報出力装置が出力することを特徴とする環境情報通信システム。
【請求項２】
請求項１において、
上記環境情報収集装置は、上記環境情報と、上記環境属性とを記録するデータ記録手段を有し、
上記環境情報サーバは、上記環境情報収集装置と上記環境情報出力装置との接続・未接続情報と、上記ユーザ属性と、受信した上記環境情報とを記録するデータ記録手段を有し、
上記環境情報出力装置は、上記ユーザ属性と、上記環境情報とを記録するデータ記録手段を有することを特徴とする環境情報通信システム。
【請求項３】
請求項１において、
上記環境情報の環境属性は、システム上のＩＤ、パスワード、位置情報、装置のＩＤ、環境情報管理者の連絡先のうちの少なくとも１つであり、
上記ユーザ属性は、ユーザのシステム上のＩＤ、パスワード、端末ＩＤ、連絡先、必要とする環境情報ＩＤのうちの少なくとも１つであることを特徴とする環境情報通信システム。
【請求項４】
請求項１において、
ユーザの状態情報に応じて、上記環境情報出力装置の出力状態を制御することを特徴とする環境情報通信システム。
【請求項５】
請求項１において、
現在のユーザの状態情報に適合する最適な環境情報を、上記環境情報サーバが自動的に選択し、この選択された環境情報を収集している上記環境情報収集装置が設置されている場所における環境情報を、上記環境情報出力装置が出力することを特徴とする環境情報通信システム。
【請求項６】
請求項１において、
上記環境情報サーバが、環境情報をランダムに選択し、この選択された環境情報を収集している環境情報収集装置が設置されている場所における環境情報を、上記環境情報出力装置が出力することを特徴とする環境情報通信システム。
【請求項７】
請求項１〜請求項６のいずれか１項において、
上記環境情報出力装置は、リアルタイムまたは記録された過去の環境で、上記環境情報を出力することを特徴とする環境情報通信システム。
【請求項８】
請求項１において、
上記環境情報出力手段は、ユーザの選択、上記環境情報サーバが行うランダム選択、または上記環境情報サーバがユーザの状態情報に適合する最適な環境情報を、自動的な選択によって、上記環境情報収集装置の設置場所における環境情報を出力する手段であり、
密閉されているボックス内に、椅子と上記環境情報出力装置とが設置されている環境情報出力ボックスを有することを特徴とする環境情報通信システム。
【請求項９】
所定の環境情報を取得する複数のセンサを備えている環境情報取得手段と；
上記環境情報のそれぞれのシステム上のＩＤ、パスワード、位置情報、環境情報収集装置のＩＤ、環境情報管理者の連絡先のうちの少なくとも１つの環境属性を管理する環境属性管理手段と；
ネットワークを介して、環境情報サーバと接続され、上記環境サーバとの間における通信を管理する通信管理手段と；
環境情報または環境属性を記録するデータ記録手段と；
を有することを特徴とする環境情報収集装置。
【請求項１０】
請求項９において、
上記環境情報取得手段が、上記環境属性管理手段から切り離され、上記環境情報取得手段と上記環境属性管理手段とが無線で接続されることを特徴とする環境情報収集装置。
【請求項１１】
ネットワークを介して、環境情報収集装置から受信した環境情報を出力する環境情報出力手段と；
端末属性情報、ユーザ情報を入出力するユーザ情報入出力手段と；
ユーザ属性を管理するユーザ属性管理手段と；
上記環境情報収集装置との間における接続・未接続情報、上記ユーザ属性、受信した上記環境情報のうちの少なくとも１つを記録するデータ記録手段と；
を有することを特徴とする環境情報出力装置。
【請求項１２】
請求項１１において、
リアルタイムで、または記録された過去の環境で、上記環境情報を出力することを特徴とする環境情報出力装置。
【発明の詳細な説明】
【技術分野】
【０００１】
本発明は、コンピュータネットワーク上において環境情報の収集、送受信、出力および管理を行う手段を提供する環境情報通信システム、環境情報収集装置および環境情報出力装置に関する。
【背景技術】
【０００２】
ネットワークを利用して様々な環境情報を活用する従来の技術として、たとえば、花粉や紫外線等、人間に有害な環境情報を、センサ内蔵移動端末が収集し、その収集結果を、電子地図上にマッピングする技術が知られている（たとえば、特許文献１参照）。
【０００３】
また、ネットワークを利用して様々な環境情報を活用する従来の他の技術として、ネットワーク側の制御データサーバから送出された制御データに応じて、照明を制御するとともに、その制御状態をネットワークへフィードバックし、省エネ性を向上させる、いわゆるエコーネットが広く知られている（たとえば、特許文献２参照）。
【０００４】
さらに、人に快適とされる環境シーンをいくつかの名所において取得し、この取得した環境シーンを予めサーバに記憶し、この記憶されている環境シーンに応じて、温熱環境、空気質、光、音環境を忠実に制御し、快適な居室環境を再現する技術が知られている（たとえば、特許文献３参照）。
【０００５】
そして、現在では、様々な名所にいわゆるＷｅｂカメラが設置され、ＰＣの画面を介して、リアルタイムに、上記Ｗｅｂカメラが撮影している画像を、視認することができるサービスが多数存在している。
【特許文献１】特開２００２−３５１９２７号公報
【特許文献２】特開２００２−１４１１７６号公報
【特許文献３】特開平５−１８７６８４号公報
【発明の開示】
【発明が解決しようとする課題】
【０００６】
しかし、上記従来例は、環境情報の周知、省エネ推進、快適さの提供が主な目的であり、また、Ｗｅｂカメラにおいては、ＰＣの画面上で、ユーザが映像を見る行為を実行しなければ、その場所の状況を知ることができない。
【０００７】
したがって、上記従来例では、たとえば自分の馴染みの場所、好きな場所、または行ってみたい場所、その場所における植物や樹木等の自然が、現在どういう環境状態であるかを意識することなく、自然とリアルタイムで感じ取ることができないという問題がある。
【０００８】
本発明は、自分の馴染みの場所、好きな場所、行ってみたい場所、その場所における植物や樹木等の自然が、現在どういう環境状態であるかを、特に意識することなく、知らず知らずのうちに、感じ取ることができ、これによって、その場所や自然とのつながりを感じさせることができる環境情報通信システム、環境情報収集装置および環境情報出力装置を提供することを目的とする。
【課題を解決するための手段】
【０００９】
本発明は、所定の環境情報を取得する複数のセンサを備えている環境情報取得手段と、上記環境情報の環境属性を管理する環境属性管理手段とを具備する環境情報収集装置と、上記環境情報収集装置との通信を管理する通信管理手段と、各環境情報の環境属性と各ユーザのユーザ属性とを管理する属性管理手段と、受信した環境情報を、宛先ユーザのユーザ属性に基づいて、宛先ユーザの環境情報出力装置に合う形式にデータを変換するデータ変換手段とを具備する環境情報サーバと、上記環境情報サーバから受信した環境情報を出力する環境情報出力手段と、端末属性情報、ユーザ情報を入出力するユーザ情報入出力手段と、ユーザ属性を管理するユーザ属性管理手段とを具備する環境情報出力装置とを有し、ネットワークを利用して、上記環境情報収集装置が設置されている場所の環境情報を、上記環境情報出力装置が出力する環境情報通信システムである。
【発明の効果】
【００１０】
本発明によれば、自分の馴染みの場所、好きな場所、行ってみたい場所、その場所における植物や樹木等の自然が、現在どういう環境状態であるかを、特に意識することなく、知らず知らずのうちに、感じ取ることができ、これによって、その場所や自然とのつながりを感じさせることができるという効果を奏する。
【発明を実施するための最良の形態】
【００１１】
発明を実施するための最良の形態は、以下の実施例である。
【実施例１】
【００１２】
図１は、本発明の実施例１である環境情報通信システムＣＳ１を示すブロック図である。
【００１３】
環境情報通信システムＣＳ１は、環境情報収集装置１０と、環境情報サーバ２０と、環境情報出力装置３０とによって構成されている。
【００１４】
環境情報収集装置１０は、環境情報取得手段１１と、環境属性管理手段１２と、通信管理手段１３と、データ記録手段１４とを有する。
【００１５】
環境情報取得手段１１は、環境情報を取得する複数のセンサによって構成され、環境属性管理手段１２は、環境情報それぞれのシステム上のＩＤやパスワードや位置情報や装置ＩＤや環境情報管理者の連絡先等、環境属性を管理する手段である。通信管理手段１３は、環境情報サーバ２０との通信を管理する手段であり、データ記録手段１４は、環境情報や環境属性を記録する手段である。
【００１６】
環境情報収集装置１０は、世界各地の観光名所、交通機関の要所、有名な自然産物の産地、ユーザの希望する場所等に多数設置されるとともに、ネットワークに接続される。
【００１７】
また、環境情報収集装置１０は、通信管理手段１３によってネットワークと接続され、この場合、ＵＴＰケーブルや光ファイバを用いて有線で接続する方法、無線ＬＡＮ等によって無線で接続する方法、電灯線等の電灯線ＬＡＮで接続する方法等、様々な方法で実現することができる。また、環境情報取得手段１１のみを、環境属性管理手段１２から切り離し、環境情報取得手段１１と環境属性管理手段１２とを無線で接続する等し、センサ部分のみを独立させるようにしてもよい。
【００１８】
環境情報サーバ２０は、通信管理手段２１と、属性管理手段２２と、データ変換手段２３と、データ記録手段２４とによって構成され、ネットワークを介して、環境情報収集装置１０に接続される。
【００１９】
通信管理手段２１は、環境情報収集装置１０との通信を管理する手段であり、属性管理手段２２は、各環境情報の環境属性と各ユーザのユーザ属性とを管理する手段である。データ変換手段２３は、受信した環境情報を宛先ユーザのユーザ属性に基づいて、宛先ユーザの環境情報出力装置３０に合う形式にデータを変換する手段であり、データ記録手段２４は、受信した環境情報、環境情報収集装置１０と環境情報出力装置３０との接続・未接続情報を記録する手段である。
【００２０】
環境情報出力装置３０は、通信管理手段３１と、環境情報出力手段３２と、ユーザ情報入出力手段３３、ユーザ属性管理手段３４と、データ記録手段３５とによって構成され、ネットワークを介して、環境情報サーバ２０と接続される。
【００２１】
通信管理手段３１は、環境情報サーバ２０との通信を管理する手段であり、環境情報出力手段３２は、受信した環境情報を出力する手段である。ユーザ情報入出力手段３３は、端末属性情報やユーザ情報を入出力する手段であり、ユーザ属性管理手段３４は、ユーザのシステム上のＩＤやパスワードや端末ＩＤや連絡先や必要とする環境情報ＩＤ等のユーザ属性を管理する手段であり、データ記録手段３５は、ユーザ属性と受信した環境情報とを記録する手段である。
【００２２】
環境情報出力装置３０も、通信管理手段３１によって、ネットワークに接続され、この場合、ＵＴＰケーブルや光ファイバを用いて有線で接続する方法、無線ＬＡＮ等によって無線で接続する方法、電灯線等の電灯線ＬＡＮで接続する方法等、様々な方法で接続することができる。
【００２３】
また、環境情報出力手段３２のみを、通信管理手段３１から切り離し、無線で、接続する等し、環境情報出力手段３２のみを独立させて構成するようにしてもよい。
【００２４】
次に、環境情報通信システムＣＳ１を使用するに際して、ユーザ側の環境情報出力装置３０で、最初に発生するユーザ属性の登録手順について説明する。
【００２５】
図２は、環境情報通信システムＣＳ１において、ユーザ属性登録手順を示すフローチャートである。
【００２６】
なお、ここでは、環境情報サーバ２０のデータ記録手段２３に、ユーザ属性情報のうちで、ユーザＩＤとパスワードとが予め登録されているとする。
【００２７】
ユーザが、環境情報出力装置３０のユーザ情報入出力手段３３において、ユーザ属性登録要求を入力する（Ｓ１０）。
【００２８】
環境情報出力装置３０のユーザ属性管理手段３４が、ユーザ属性登録要求を検出し、ユーザ属性登録初期情報を、ユーザ情報入出力手段３３に出力する。ユーザは、ユーザ情報入出力手段３３を介して、ユーザ属性を入力する。このときに、環境情報サーバ２０のアドレス、ユーザＩＤ、パスワードを、ユーザ属性情報として、ユーザが入力する（Ｓ１１）。
【００２９】
ユーザが、ユーザ情報入出力手段３３を介して、登録要求を入力すると、ユーザ属性管理手段３４が、入力されたユーザ属性情報を抽出し、データ記録手段３５に記録するとともに、環境情報出力装置３０のアドレスを、ユーザ属性情報に付加し、通信管理手段３１に送信する（Ｓ１２）。
【００３０】
環境情報出力装置３０の通信管理手段３１は、ユーザ属性情報の中から、環境情報サーバ２０のアドレスを抽出し、この抽出されたアドレスに基づいて、ユーザ属性情報を、環境情報サーバ２０に送信する（Ｓ１３）。
【００３１】
環境情報サーバ２０における通信管理手段２１は、受信したユーザ属性情報を属性管理手段２２に渡す。属性管理手段２２は、ユーザ属性情報の中から、ユーザＩＤとパスワードとを抽出し、これら抽出したユーザＩＤとパスワードとが、データ記録手段２４に記録されているユーザＩＤとパスワードとに一致するかどうかを判断し、一致する場合には、接続許可の判断を下し、一致しない場合には、接続不許可の判断を下す（Ｓ１４）。
【００３２】
Ｓ１４において、接続不許可の判断がされた場合には、属性管理手段２２が、通信管理手段２１を介して、接続許否情報を環境情報出力装置３０に返す（Ｓ１５）。
【００３３】
Ｓ１４において、接続許可が判断された場合、属性管理手段２２は、データ記録手段２４に記録されているユーザ本人のユーザ属性情報と配信可能な環境属性情報とを、環境情報出力装置３０に送信する。
【００３４】
このときに、ユーザ属性情報は、具体的には、ユーザ名、ユーザＩＤ、パスワード、環境情報出力装置３０の種類、端末ＩＤ、住所、電話番号、携帯番号、Ｆａｘ番号、メールアドレス、取得する環境情報収集装置１０のＩＤ、取得する環境情報収集装置１０の種類、取得する情報種類、取得する環境情報装置場所によって構成される。
【００３５】
また、配信可能な環境属性情報は、情報配信可能な環境情報収集装置１０のＩＤ、情報配信可能な環境情報収集装置１０の種類、情報配信可能な環境情報ＩＤ、情報配信可能な環境情報収集装置１０の設置場所によって構成される。なお、まだ登録されていない情報に関しては、空データが送信される。以降、一定期間、環境情報サーバ２０と環境情報出力装置３０との通信リンクが確立される（Ｓ１６）。
【００３６】
環境情報出力装置３０の通信管理手段３１は、受信した全情報をユーザ情報入出力手段３３に送信する。ユーザ情報入出力手段３３は、全情報を出力するとともに、ユーザは、ユーザ情報入出力手段３３を介して、自身のユーザ属性と取得希望の環境情報収集装置１０の情報（環境情報収集装置１０のＩＤ、環境情報ＩＤ）を選択し、入力する（Ｓ１７）。
【００３７】
ユーザが、ユーザ情報入出力手段３３を介して、登録要求を入力すると、ユーザ属性管理手段３４が、入力されたユーザ属性情報と取得希望の環境情報収集装置１０の情報とを抽出し、データ記録手段３５に記録するとともに、通信管理手段３１に送信する。このときに、送信される情報は、Ｓ１６で説明した情報に、環境情報サーバ２０のアドレスと、環境情報出力装置３０のアドレスと、ユーザＩＤと、パスワードとが付加される（Ｓ１８）。
【００３８】
環境情報出力装置３０の通信管理手段３１は、情報の中から環境情報サーバ２０のアドレスを抽出し、この抽出されたアドレスに基づいて、ユーザ属性情報と取得希望の環境情報収集装置１０の情報とを、環境情報サーバ２０に送信する（Ｓ１９）。
【００３９】
環境情報サーバ２０における通信管理手段２１は、受信したユーザ属性情報と取得希望の環境情報収集装置１０の情報とを、属性管理手段２２に渡し、属性管理手段２２は、これらの情報をデータ記録手段２４に記録する（Ｓ２０）。
【００４０】
上記Ｓ１０〜Ｓ２０の手順において、環境情報サーバ２０に、ユーザ属性を登録することによって、環境情報出力装置３０が使用可能となる。
【００４１】
一方、環境情報通信システムＣＳ１を使用する場合、最初に、環境情報収集装置１０側でも、環境属性を登録することが必要である。
【００４２】
図３は、上記実施例において、環境属性を登録する手順を示すフローチャートである。
【００４３】
なお、ここでは、環境情報サーバ２０のデータ記録手段２４に、環境属性情報のうちで、環境情報収集装置１０のＩＤとパスワードとが登録されているものとする。
【００４４】
環境情報収集装置１０の管理者が、ＰＣのブラウザで、ネットワークを介して、環境情報収集装置１０の環境属性管理手段１２にアクセスし、環境属性登録要求を入力する（Ｓ３０）。
【００４５】
環境情報収集装置１０の環境属性管理手段１２が環境属性登録要求を抽出し、環境属性登録初期画面をブラウザに出力する。管理者は、ブラウザにおいて環境属性を入力する。このときに、環境属性情報として、環境情報サーバ２０のアドレス、環境情報収集装置１０のＩＤ、パスワードを、管理者が入力する（Ｓ３１）。
【００４６】
管理者が、ブラウザによって登録要求を入力すると、環境属性管理手段１２が、入力された環境属性情報を抽出し、データ記録手段１４に記録するとともに、環境情報収集装置１０のアドレスを、環境属性情報に付加し、通信管理手段１３に送信する（Ｓ３２）。
【００４７】
環境情報収集装置１０の通信管理手段１３は、環境属性情報の中から環境情報サーバ２０のアドレスを抽出し、この抽出されたアドレスに基づいて、環境属性情報を環境情報サーバ２０に送信する（Ｓ３３）。
【００４８】
環境情報サーバ２０における通信管理手段２１は、受信した環境属性情報を属性管理手段２２に渡す。属性管理手段２２は、環境属性情報の中から環境情報収集装置１０のＩＤとパスワードとを抽出し、抽出された環境情報収集装置１０のＩＤと、パスワードとが、データ記録手段２４に記録されている環境情報収集装置１０のＩＤと、パスワードとに、それぞれ一致するかどうかを判断し、一致する場合には、接続許可の判断を下し、一致しない場合には、接続不許可の判断を下す（Ｓ３４）。
【００４９】
Ｓ３４において、接続不許可を判断した場合には、属性管理手段２２が、接続許否情報を、通信管理手段２１を介して、環境情報収集装置１０に返す（Ｓ３５）。
【００５０】
Ｓ３４において、接続許可の判断がおりると、属性管理手段２２は、データ記録手段２４に記録されている環境情報収集装置１０の環境属性情報を、環境情報収集装置１０に送信する。このときに、環境属性情報は、具体的には、環境情報収集装置名、環境情報収集装置１０のＩＤ、パスワード、環境情報収集装置１０の種類、環境情報種類、環境情報ＩＤ、設置場所、管理者、管理者電話番号、管理者携帯番号、管理者Ｆａｘ番号、管理者メールアドレスである。なお、まだ登録されていない情報に関しては、空データが送信される。以降、一定期間、環境情報サーバ２０と環境情報出力装置３０とのリンクが確立される（Ｓ３６）。
【００５１】
環境情報収集装置１０の通信管理手段１３は、受信した全情報を、環境属性管理手段１２に送信し、環境属性管理手段１２は、受信した全情報をブラウザ出力する。管理者は、ブラウザにおいて環境属性情報を入力する（Ｓ３７）。
【００５２】
管理者がブラウザによって登録要求を入力すると、環境属性管理手段１２が、入力された環境属性情報を抽出し、データ記録手段１４に記録するとともに、通信管理手段１３に送信する。このときに送信される情報は、Ｓ３６において説明した環境属性情報に、環境情報サーバ２０のアドレス、環境情報収集装置１０のアドレス、環境情報収集装置１０のＩＤ、パスワードが付加され他情報である（Ｓ３８）。
【００５３】
環境情報収集装置１０の通信管理手段１３は、情報の中から環境情報サーバ２０のアドレスを抽出し、この抽出されたアドレスに基づいて、環境属性情報を環境情報サーバ２０に送信する（Ｓ３９）。
【００５４】
環境情報サーバ２０における通信管理手段２１は、受信した環境属性情報を属性管理手段２２に渡し、属性管理手段２２は、これらの情報をデータ記録手段２４に記録する（Ｓ４０）。
【００５５】
上記Ｓ３０〜Ｓ４０の手順によって、環境情報サーバ２０に環境属性を登録し、これによって、環境情報収集装置１０が使用可能になる。
【００５６】
次に、環境情報収集装置１０と環境情報サーバ２０とが通信を開始する手順について説明する。
【００５７】
図４は、環境情報収集装置１０と環境情報サーバ２０とが通信を開始する手順を示すフローチャートである。
【００５８】
装置が起動すると、環境情報収集装置１０の環境属性管理手段１２が、環境属性情報とともに通信開始要求情報を、通信管理手段１３に自動的に送信する。ここでの環境属性情報は、環境情報サーバ２０のアドレス、環境情報収集装置１０のアドレス、環境情報収集装置１０のＩＤ、パスワードである（Ｓ５０）。
【００５９】
環境情報収集装置１０の通信管理手段１３が、受け取った環境属性情報から環境情報サーバ２０のアドレスを抽出し、この抽出されたアドレスに基づいて、環境属性情報と通信開始要求情報とを環境情報サーバ２０に送信する（Ｓ５１）。
【００６０】
環境情報サーバ２０の通信管理手段２１が、受け取った環境属性情報を属性管理手段２２に渡す。属性管理手段２２は、環境属性情報から、環境情報収集装置１０のＩＤとパスワードと環境情報収集装置１０のアドレスとを抽出し、この抽出した環境情報収集装置１０のＩＤとパスワードと環境情報収集装置１０のアドレスとが、データ記録手段２４に記録されている情報と一致するかどうかを判断し、一致する場合には、接続許可の判断を下し、一致しない場合には、接続不許可の判断を下す。また、判断情報をデータ記録手段２４に記録する（Ｓ５２）。
【００６１】
Ｓ５２では、接続許可の判断がおりた場合には、環境情報サーバ２０の属性管理手段２２は、通信管理手段２１を介して、接続許可の情報を、環境情報収集装置１０の通信管理手段１３に送信する（Ｓ５３）。
【００６２】
環境情報収集装置１０の通信管理手段１３は、受け取った接続許可情報を環境属性管理手段１２に渡し、通信を開始するとともに、データ記録手段１４に通信開始情報を記録する。また、環境情報取得手段１１が取得した環境情報を、環境情報サーバ２０に送信する（Ｓ５４）。
【００６３】
Ｓ５２では、接続不許可の判断がおりた場合には、通信管理手段２１を介して、属性管理手段２２が、接続許否情報を、環境情報収集装置１０に返す（Ｓ５５）。
【００６４】
環境情報収集装置１０の通信管理手段１３が、受け取った接続許否情報を環境属性管理手段１２に渡し、環境属性管理手段１２は、接続許否情報をデータ記録手段１４に記録する（Ｓ５４）。
【００６５】
上記Ｓ５０〜Ｓ５６の手順によって、環境情報収集装置１０と環境情報サーバ２０との間における通信が開始される。これ以降、通信のリンクが確立し、リンクが確立している間、ＨＴＴＰやＵＤＰやＴＣＰ等のプロトコルを用い、各種環境情報が送受信される。
【００６６】
次に、環境情報出力装置３０と環境情報サーバ２０とが通信を開始する手順について説明する。
【００６７】
図５は、環境情報出力装置３０と環境情報サーバ２０とが通信を開始する手順を示すフローチャートである。
【００６８】
環境情報出力装置３０のユーザ情報入出力手段３３が、ユーザからの通信開始要求を抽出し、ユーザ属性管理手段３４に送信する（Ｓ６０）。
【００６９】
環境情報出力装置３０のユーザ属性管理手段３４が、ユーザ属性情報とともに受信した通信開始要求情報を、通信管理手段３１が送信する。ここでのユーザ属性情報は、環境情報サーバ２０のアドレス、環境情報出力装置３０のアドレス、ユーザＩＤ、パスワードである（Ｓ６１）。
【００７０】
環境情報サーバ２０の通信管理手段２１が、受け取ったユーザ属性情報から、環境情報サーバ２０のアドレスを抽出し、この抽出したアドレスに基づいて、ユーザ属性情報と通信開始要求情報とを、環境情報サーバ２０に送信する（Ｓ６２）。
【００７１】
環境情報サーバ２０の通信管理手段２１が、受け取ったユーザ属性情報を属性管理手段２２に渡す。属性管理手段２２は、ユーザ属性情報から、ユーザＩＤとパスワードと環境情報出力装置３０のアドレスとを抽出し、この抽出したユーザＩＤとパスワードと環境情報出力装置３０のアドレスとが、データ記録手段２４に記録されている情報と一致するかどうかを判断し、一致する場合には、接続許可の判断を下し、一致しない場合には、接続不許可の判断を下す。また、判断情報をデータ記録手段３５に記録する（Ｓ６３）。
【００７２】
Ｓ６３では、接続許可の判断がおりた場合には、環境情報サーバ２０の属性管理手段２２は、通信管理手段２１を介して、接続許可の情報を、環境情報出力装置３０の通信管理手段３１に送信する（Ｓ６４）。
【００７３】
環境情報出力装置３０の通信管理手段３１は、受け取った接続許可情報を、ユーザ属性管理手段３４に渡し、通信を開始するとともに、データ記録手段１４に通信開始情報を記録する。また、登録されている取得希望の環境情報取得装置の環境情報を、初期値として環境情報サーバ２０から受け取り、環境情報出力手段３２が出力する（Ｓ６５）。
【００７４】
Ｓ６３では、接続不許可の判断がおりた場合には、通信管理手２１を介して、属性管理手段２２が、接続許否情報を環境情報出力装置３０に返す（Ｓ６６）。
【００７５】
環境情報出力装置３０の通信管理手段３１が、受け取った接続許否情報を、ユーザ属性管理手段３４に渡し、ユーザ属性管理手段３４は、接続許否情報をデータ記録手段２４に記録する（Ｓ６７）。
【００７６】
上記Ｓ６０〜Ｓ６７の手順によって、環境情報出力装置３０と環境情報サーバ２０との間で、通信が開始される。これ以降、通信のリンクが確立し、リンクが確立している間、ＨＴＴＰやＵＤＰやＴＣＰ等のプロトコルを用い、各種環境情報が送受信される。
【００７７】
次に、環境情報収集装置１０が収集した環境情報を、環境情報出力装置３０が出力する手順について説明する。
【００７８】
図６は、環境情報収集装置１０が収集した環境情報を、環境情報出力装置３０が出力する手順を示すフローチャートである。
【００７９】
なお、ここでは、当該環境情報収集装置１０の環境情報を当該環境情報出力装置３０に出力するように、環境情報サーバ２０に登録されているとし、かつ、図４、図５にそれぞれ示す手順を経て、環境情報収集装置１０と環境情報サーバ２０との間における通信を開始し、環境情報出力装置３０と環境情報サーバ２０との間における通信を開始しているとする。
【００８０】
環境情報収集装置１０の環境情報取得手段１１が、変化した環境情報を取得し、環境属性管理手段１２に送信する。なお、環境情報収集装置１０と環境情報サーバ２０とが通信を開始したときには、開始時における全環境情報を取得し、送信する。ここでの環境情報は、各種センサの値である（Ｓ７０）。
【００８１】
環境情報収集装置１０の環境属性管理手段１２は、データ記録手段１４から取り出した環境属性情報を、環境情報に付加し、通信管理手段１３に送信する。ここで、環境情報に付加される環境属性情報は、環境情報収集装置１０のＩＤと、それぞれのセンサ値に対する環境情報ＩＤと、環境情報サーバ２０のアドレスとである（Ｓ７１）。
【００８２】
環境情報収集装置１０の通信管理手段１３は、受け取った環境情報と環境属性情報とを、環境情報サーバ２０に送信する（Ｓ７２）。環境情報サーバ２０の通信管理手段２１は、受け取った環境情報と環境属性情報とを、属性管理手段２２に渡す（Ｓ７３）。環境情報サーバ２０の属性管理手段２２は、受け取った環境情報を、環境属性情報に基づいて、データ記録手段２４に記録する（Ｓ７４）。
【００８３】
環境情報サーバ２０の属性管理手段２２は、受け取った環境情報について、配信先と登録されているユーザ属性情報とを、データ記録手段２４から抽出し、環境情報、環境属性情報、ユーザ属性情報を、データ変換手段２３に渡す。なお、ここでのユーザ属性情報は、環境情報出力装置３０のアドレス、ユーザＩＤ、環境情報出力装置３０の種類、端末ＩＤである（Ｓ７５）。
【００８４】
環境情報サーバ２０のデータ変換手段２３は、受信したユーザ属性に含まれている環境情報出力装置３０の種類情報を抽出し、その環境情報出力装置３０の出力形態に合う形式に、受け取った環境情報を変換し、通信管理手段２１に渡す（Ｓ７６）。
【００８５】
環境情報サーバ２０の通信管理手段２１は、受け取ったユーザ属性情報から、環境情報出力装置３０のアドレスを抽出し、この抽出されたアドレスに基づいて、Ｓ７７で変換された環境情報と環境属性情報とを、環境情報出力装置３０に送信する（Ｓ７７）。環境情報出力装置３０の通信管理手段３１は、受け取った環境情報と環境属性情報とを、環境情報出力手段３２に渡す（Ｓ７８）。環境情報出力装置３０の環境情報出力手段３２は、受け取った環境情報と環境属性とを出力する（Ｓ７９）。
【００８６】
上記手順によって、環境情報収集装置１０の周辺の環境情報を、環境情報出力装置３０に出力することができ、離れた場所の環境情報を、常に感じることができる。
【００８７】
また、Ｓ７０で説明したように、環境情報収集装置１０の環境情報取得手段１１が、環境情報の変化を感知した場合、その都度、その変化情報が環境情報サーバ２０に送信され、環境情報出力装置３０の有無に関わらず、環境情報収集装置１０のデータ記録手段１４に記録される。
【００８８】
また、環境情報サーバ２０のデータ記録手段２４に記録されている過去の環境情報収集装置１０の周辺の環境情報を、環境情報出力装置３０が出力することが可能である。この場合、環境情報出力装置３０のユーザ情報入出力手段３３を介して、ユーザが出力を希望する環境情報収集装置１０のＩＤと、環境情報ＩＤと、出力を希望する過去の開始時間と終了時間とを、ユーザが指定し、これらの情報を環境情報サーバ２０に送信すれば、Ｓ７５〜Ｓ７９と同様の手順で、過去の環境情報が送信され、環境情報出力装置３０の環境情報出力手段３２が出力する。なお、この場合、その再生速度を、たとえば２倍等に設定すれば、過去の環境情報の変化を、２倍の速度で感じることが可能になる。
【００８９】
環境情報収集装置１０の環境情報取得手段１１における環境情報取得方法と、環境情報出力装置３０の環境情報出力手段３２における環境情報出力方法とについて、様々な方法が考えられるので、それぞれの詳細に関して、以下説明する。
【００９０】
まず、環境情報収集装置１０における環境情報取得手段１１の構成について説明する。
【００９１】
図７は、環境情報収集装置１０における環境情報取得手段１１の構成を示す図である。
【００９２】
環境情報取得手段１１は、各種センサと、電源装置と、コントローラとによって構成されている。
【００９３】
上記コントローラは、上記各種センサからの情報を管理する他、センサ情報を、環境属性管理手段１２に渡す。上記電源装置は、上記各種センサや上記コントローラに電源を供給するが、この電源装置は、環境情報収集装置１０内の他の各手段における電源装置と共有するようにしてもよい。
【００９４】
上記各種センサは、気温や水温を測定する温度センサ、大気中の湿度を測定する湿度センサ、明るさを測定する照度センサ、レンズを通して映像を撮影したり映像中の変化を感知する画像センサ、大気中の埃の量を測定するホコリセンサ、音を収音したり音の変化を感知する音響センサ、風の速さを測定する風速センサ、海等で波の高さを測定する波高センサ、ＧＰＳ等位置を特定できる情報を出力する位置センサ等によって構成されている。ただし、全ての場合において上記センサの全部が環境情報取得手段１１に使用されるわけではなく、使用目的に応じて、複数種のセンサが使用される。
【００９５】
次に、環境情報出力装置３０における環境情報出力手段３２の構成について説明する。
【００９６】
図８は、環境情報出力装置３０における環境情報出力手段３２の構成を示す図である。
【００９７】
環境情報出力手段３２は、通信管理手段３１から受け取った環境情報を、種類別に分別するとともに、それぞれの出力手段に応じた信号に変換する環境情報処理手段、エアコンや扇風機や空気清浄機等の空調装置、これを制御する空調制御手段、蛍光灯やライト等の照明装置、これを制御する照明制御手段、スピーカ等の音再生装置、これを制御する音制御手段、ＬＥＤや有機ＥＬ等の発光装置、これを制御する発光制御手段、モータやエンジン等の駆動装置、これを制御する駆動制御装置、ディスプレイやプロジェクタ等の画像表示装置、これを制御する画像制御装置、小さなモノクロ液晶等の情報表示装置、これを制御する情報制御装置、これらの装置に電源を供給する電源装置によって構成されている。
【００９８】
上記電源装置は、環境情報出力装置３０内の他の各手段における電源装置と共有するようにしてもよい。また、全ての場合において、これら全部の制御装置と出力装置とが環境情報処理手段３２に使用されるわけではなく、使用目的に応じて、複数種の制御手段と出力装置とが使用される。
【００９９】
次に、環境情報通信システムＣＳ１によって、特定の場所の空気感や季節感を体感する方法について説明する。
【０１００】
なお、上記「空気感」は、気温、湿度、風、肌ざわり等、空気について感じる感覚である。
【０１０１】
上記実施例では、環境情報収集装置１０の環境情報取得手段１１として、温度センサ、湿度センサ、風速センサ、ホコリセンサを使用する。また、環境情報出力装置３０の環境情報出力手段３２として、空調装置と空調制御装置とを使用する。
【０１０２】
手順として、まず、世界各地の観光名所、交通機関の要所、有名な自然産物の産地、ユーザの希望する場所に設置されている環境情報収集装置１０の中から、１つの環境情報収集装置１０を、図２に示すユーザ属性登録フローチャートにおけるＳ１７において選択する。
【０１０３】
次に、選択された環境情報収集装置１０の環境情報取得手段１１が、設置場所周辺の温度情報、湿度情報、風速情報、ホコリ情報、時間情報を収集し、図６に示す環境情報収集表示のフローチャートで示すように、情報を環境情報サーバ２０に送信するとともに、環境情報出力装置３０が情報を受け取り、出力する。
【０１０４】
図９は、環境情報出力装置３０が空気感や季節感を伝える例を示す図である。
【０１０５】
ここでは、空調装置として、エアコン、扇風機、空気清浄機、加湿器、除湿機が使用され、空調制御手段として、たとえば空調装置をリモコンで制御するリモコン制御装置とリモコンとが使用される。
【０１０６】
図８に示す環境情報出力手段３２が、環境情報サーバ２０から受信した環境情報を、温度情報、湿度情報、風速情報、ホコリ情報に分離し、また、温度情報を、エアコンの設定温度に変換し、湿度情報を、加湿器と除湿機との設定湿度に変換し、風速情報を、扇風機の強弱設定に変換し、ホコリ情報を、空気清浄機の強弱設定に変換し、リモコン制御装置に送信し、リモコンが、各装置に制御信号を発信する。
【０１０７】
これによって、環境情報がリアルタイムで出力され、離れた場所の環境における空気感や季節感を、リアルタイムに体感することができる。
【０１０８】
たとえば、都会の部屋に、環境情報出力装置３０を設置し、夏季に、時差のない日本国内における高原のリゾート地の環境情報収集装置１０を選択すれば、朝は高原の少々肌寒い感覚を体感することができ、夜も日が暮れると、すぐに肌寒くなる感覚を体感することができる。
【０１０９】
一方、複数、設けられている環境情報収集装置１０のうちで、たとえば、時差のあるところの環境情報収集装置１０を選択すれば、空気感だけで、時差を感じることが可能である。さらに、冬季に、熱帯雨林の気候を感じることができ、台風の到来している場所の環境情報収集装置１０を選択すれば、台風を体感することができる。なお、上記実施例は、リモコンを制御手段とする例であるが、環境情報出力装置３０が、エアコン等の家電製品と一体化されている装置であってもよい（環境情報出力装置３０が、エアコン等の家電製品に組み込まれているようにしていもよい）。
【０１１０】
次に、環境情報通信システムＣＳ１において、明るさによって特定の場所の時差感や季節感や気候感を体感する方法について説明する。
【０１１１】
上記実施例では、環境情報収集装置１０の環境情報取得手段１１として、照度センサまたは画像センサを使用する。また、環境情報出力装置３０の環境情報出力手段３２として、照明装置と、照明制御手段、発光装置と、発光制御手段、または、画像表示装置と、画像制御手段とを使用する。なお、照明装置は、室全体を照明する装置であり、発光装置は、ＬＥＤ等で構成され、点または線を表示し、その室の雰囲気を出す装置である。
【０１１２】
明るさによって特定の場所の時差感や季節感や気候感を体感する手順は、上記空気感や季節感を体感する方法と基本的には同じであり、異なる点は、環境情報が、照度情報または画像情報に置き換えられるだけである。
【０１１３】
次に、上記実施例において、明るさによって特定の場所の時差感や季節感や気候感を伝える環境情報出力手段３２の一例を示す図である。
【０１１４】
図１０は、上記実施例において、明るさによって特定の場所の時差感や季節感や気候感を伝える環境情報出力装置３０の一例を示す図である。
【０１１５】
照明装置を使用する場合、電気スタンドが使用され、照明制御手段によって、電気スタンドの明るさが制御される。このときに、環境情報は、照度センサで取得された照度情報のみが使用され、照明制御手段が、照度情報を、明るさの強弱設定に変換し、この変換された明るさの強弱設定が、電気スタンドに送られる。
【０１１６】
発光装置が使用される場合、たとえば赤、青、緑のＬＥＤセットを、多数アレイ状に並べたＬＥＤ照明装置を発光装置として使用する。このときにおける環境情報は、画像センサによって取得された画像情報である。
【０１１７】
ここで、画像センサは、設置場所において上空を撮影するように設置され、空の色、太陽、月明かりを撮影する。このようにして得られた画像情報を、発光制御手段が、ＲＧＢ成分に分離し、また、ＬＥＤ照明装置におけるそれぞれの赤、青、緑のＬＥＤセット位置に対応した色を再現する制御信号に変換され、ＬＥＤ照明装置に送信される。
【０１１８】
一方、画像表示装置を使用する場合、たとえば液晶プロジェクタ型照明装置を画像表示装置として使用する。このときに、環境情報は、発光装置が使用された場合と同様に、画像センサによって取得された画像情報となり、画像センサは、設置場所において上空を撮影するように設置され、空の色、太陽、月明かりを撮影する。
【０１１９】
得られた画像情報を、画像制御手段が、ピントがずれたようなぼかされた画像に変換する。これは、空を忠実に表示するのではなく、明るさの表示を重視するためである。このようにして変換された画像情報が、液晶プロジェクタ型照明装置に送られ、投影される。なお、図１０に示すように、液晶プロジェクタは、半透明な幕に覆われ、この幕に、変換された画像情報を投影することによって、照明として使用する。
【０１２０】
このような手法によって、離れた場所の環境における明るさをリアルタイムに再現することができる。たとえば、都会の部屋に環境情報出力装置３０を設置し、ハワイのワイキキビーチに設置されている環境情報収集装置１０を選択すれば、冬でもギラギラした太陽の温もりを感じることができ、また、夕焼けをも体感することができる。さらに、選択されている環境情報収集装置１０の環境を、リアルタイムで再現するので、日の長さや光の強さによる季節感や、明るさの変化によって天候の変化も体感することができる。
【０１２１】
なお、図９、図１０に示す環境情報出力手段３２を組み合わせることによって、空気感と明るさとを同時に体感することもでき、また、環境情報収集装置１０の環境情報取得装置１１として、収音マイク等、環境音に対する音響センサの組み合わせを使用し、環境情報出力装置３０の環境情報出力手段３２として、スピーカ等、音再生装置の組み合わせを使用することによって、空気感と明るさのほかに、たとえば波の音、川の音、森の木の葉の擦れる音、草原の草の擦れる音、鳥や動物の鳴き声、または風の音等を収音し、そのまま再生することができ、環境情報収集装置１０の周辺の環境を、より深く体感することができる。
【０１２２】
また、図９、図１０に示す環境情報出力手段３２として、情報表示装置と情報表示手段との組み合わせを使用し、たとえば温度や湿度等の正確な数値を小さな液晶ディスプレイで表示することによって、環境を体感する以外にも、数値としてその環境を実感することもできる。
【０１２３】
次に、環境情報通信システムＣＳ１によって、特定の場所の波の状態を伝達する方法について説明する。
【０１２４】
この場合、環境情報収集装置１０の環境情報取得手段１１として、波高センサを使用する。また、環境情報出力装置３０の環境情報出力手段３２として、駆動手段と駆動制御手段とを使用する。
【０１２５】
特定の場所の波の状態を伝達する手順は、上記空気感や明るさを体感する方法と基本的には同じであり、その違いは、環境情報の代わりに波高情報を使用する点だけである。
【０１２６】
環境情報収集装置１０の環境情報取得手段１１における波高センサとして、固定されたレーザ方式の波高センサを使用する。たとえば、この波高センサを、所定の大きさの正方形内に９つ程度、アレイ状に並べる。そして、それぞれの位置における波高値を一定間隔（たとえば１秒間）で測定し、環境情報サーバ２０を介して、各波高情報を環境情報出力装置３０に送る。
【０１２７】
図１１は、環境情報出力装置３０における環境情報出力手段３２の構成を示す図である。
【０１２８】
環境情報出力手段３２は、駆動制御手段と電源装置と駆動装置とを有する。
【０１２９】
上記駆動制御装置は、受信した波高情報を９つに分離するとともに、センサが配置されている正方形内全体のおおよその波高値を、９つの測定値に基づいて、計算する。この計算は、ラグランジュの補完多項式等を使って行う。このようにして計算された正方形内全体の波高値情報は、波高値アレイとして扱われる。
【０１３０】
上記駆動装置は、図１１に示すように、正方形内の縦方向位置移動モータ、横方向位置移動モータ、各位置における波高設定モータ、実際の波を再現する波高棒によって構成されている。
【０１３１】
図１２は、波の状態を伝える環境情報出力手段３２の例を示す図である。
【０１３２】
上記駆動装置の外観は、図１２に示すように、剣山のような形状に並んだ波高棒であり、数１００本の波高棒の高さの変化によって、波の動きを表現する。駆動制御装置で作成された波高値アレイ情報に基づいて、駆動制御装置は、各モータを制御し、波高値アレイの位置情報に対応する駆動装置の位置まで、縦方向位置移動モータと横方向位置移動モータとを動かし、その位置で、波高設定モータを動かし、カム等を使い、波高棒下部から波高棒の高さを動かし、所定の波高値に設定する。この作業を、波高値アレイの全位置で行うことによって、波の形状、測定間隔毎の波の動きを表現することができる。
【０１３３】
たとえば、波高センサを使用する環境情報収集装置１０を、ハワイの有名サーフスポットや湘南海岸のサーフスポット等、世界の有名なサーフスポットに設置し、その場所の波の状態を、リアルタイムで、図１２の環境情報出力手段３２が表現することによって、サーファーが海にいなくても、そのサーファーに波を感じさせることが可能になり、自分の好きなサーフスポットの状況を常時感じさせることができる。
【０１３４】
また、一般的に、Ｗｅｂカメラ等を使って映像を表示するシステムが従来存在しているが、映像を常時見ているわけではなく、したがって、その環境を感じることができない。一方、上記実施例では、物体の形状変化だけで波の状況を伝えるので、置物として部屋の片隅に置いておけば、知らず知らずのうちに、波を感じることが可能になり、手で触ることによって、触感でも波を感じることができる。
【０１３５】
次に、環境情報通信システムＣＳ１において、特定の場所における農作物の状態を体感する方法について説明する。
【０１３６】
図１３は、環境情報通信システムＣＳ１において、特定の場所における農作物の状態を体感する環境情報取得手段１１の一例を示すブロック図である。
【０１３７】
環境情報収集装置１０の環境情報取得手段１１と、環境情報出力装置３０の環境情報出力手段３２と基本的な構成は、図９と図１０に示す空気感と明るさを伝達する環境情報通信システムＣＳ１と同様である。ただし、ここでは、環境情報取得手段１１として、農作物を育てている農家の作業者の作業情報と、作物の生育情報とを、手入力で入力する手段が、図１３に示すように、追加され、また、環境情報出力手段３２として、音制御手段と音再生装置とが使用されている。
【０１３８】
本実施例では、たとえば環境情報収集装置１０が、米の各名産地の田んぼや桃や葡萄等果物の名産地における果樹園内に設置されている。また、農家の作業者は、作業した日に作業状況（肥料を与えた量や消毒の量等）や、作物の生育状況を入力する。
【０１３９】
そして、ユーザが日頃購入しているお米や果物の生産地における環境情報収集装置１０を、ユーザが選択すると、ユーザ側の環境情報出力手段３２に、田んぼや果樹園の各種環境情報が送信され、図９や図１０に示す場合と同様に、空気感や明るさによって、各種環境情報が表現される。
【０１４０】
また、手入力された作業情報や生育情報は、環境情報出力手段３２の音制御手段によって、その情報に応じた音楽が選択され、たとえば作業せずに生育度変化がない場合には、少し悲しい音楽が選択され、逆に作業量が大で生育度が大である場合には、楽しい軽快な音楽が選択され、音再生装置が、選択された音楽を流す。また、手入力された情報以外にも、たとえば照度や気温に応じて、音楽を選択することも可能である。
【０１４１】
上記のようにして、いわば農作物の気持ちを表現する音楽を聴くことによって、農作物という自然を感じることができる。また、日頃食している農作物の成長を、離れた場所にいても、音楽を通して感じるので、生きることや食すことの重要さを、知らず知らずのうちに感じることができる。
【０１４２】
次に、環境情報通信システムＣＳ１において、流れ星情報を伝達する方法について説明する。
【０１４３】
本実施例では、環境情報収集装置１０の環境情報取得手段１１に画像センサを使用する。また、環境情報出力装置３０の環境情報出力手段３２には、発光装置と発光制御手段とを使用する。流れ星情報を伝達する手順は、空気感や季節感を体感する上記方法と基本的には同じであり、環境情報の代わりに、画像情報が使用される点のみが異なる。
【０１４４】
環境情報収集装置１０の環境情報取得手段１１に使用される画像センサは、世界各地の空気の澄んだ場所において、上空を撮影する画像センサである。上記画像センサは、各設置場所において、夜空を撮影し、画像処理によって、高速な光の動きを捉え、おおよその軌跡の座標位置と発生時間と発生継続時間とを、環境情報として環境情報サーバ２０に送信する。
【０１４５】
環境情報サーバ２０は、受信した環境情報を、環境情報出力装置３０に送信し、環境情報出力装置３０は、受信した環境情報を出力する。
【０１４６】
図１４は、環境情報出力手段３２の一例である地球儀型環境情報出力手段３２を示す図である。
【０１４７】
環境情報出力手段３２は、球形であり、内幕にＬＥＤを使用した発光装置を球状に配置し、外幕に半透明の地球儀を配置している。環境情報サーバ２０から受信した環境情報は、発光制御手段によって、座標位置がＬＥＤの点灯装置に、発生時間と発生継続時間とが、ＬＥＤ点灯時間に変換され、地球儀型情報出力手段３２に送信され、地球儀上で、流れ星が流れる軌跡を見ることができる。
【０１４８】
上記手法によって、世界各地における流れ星の発生を、リアルタイムに再現することができ、宇宙の神秘を身近に感じることができる。
【０１４９】
次に、環境情報通信システムＣＳ１の一実施例として、野生動物の状態を伝達する方法について説明する。
【０１５０】
本実施例では、環境情報収集装置１０の環境情報取得手段１１として、位置センサを使用する。また、環境情報出力装置３０の環境情報出力手段３２として、発光装置と発光制御手段とを使用する。手順は、空気感や季節感を体感する上記方法と基本的には同じであり、環境情報の代わりに、位置情報を使用する点のみが異なる。
【０１５１】
図１５は、環境情報収集装置１０の環境情報取得手段１１の一例を示す図である。
【０１５２】
環境情報収集装置１０の環境情報取得手段１１に使用される位置センサは、ＧＰＳ等位置を特定できる情報を出力するセンサであり、たとえば、イルカや鯨や海亀等の野生の海洋生物の背中や、渡り鳥や熊や鹿やバッファロー等野生動物の背中等に太陽光バッテリ等とともに設置される。
【０１５３】
野生動物の位置情報は、定期的に出力され、無線電波で送信される。送信された情報は、対となる環境情報取得手段１１における無線受信機によって受信され、コントローラに取り込まれ、環境属性管理手段１２、通信管理手段１３を介して、環境情報サーバ２０に送信される。ここで、環境情報サーバ２０に送信される情報は、座標位置と発生時間と野生動物のＩＤとである。
【０１５４】
環境情報サーバ２０は、受信した環境情報を環境情報出力装置３０に送信し、環境情報出力装置３０は、受信した環境情報を出力する。
【０１５５】
図１６は、環境情報出力手段３２の一例を示す図である。
【０１５６】
基本的な構造は、図１４に示した流れ星の状態を伝達する地球儀型環境情報出力手段３２と同じである。環境情報サーバ２０から受信した環境情報は、発光制御手段によって、位置情報がＬＥＤの点灯位置に変換され地球儀型情報出力手段に送信され、地球儀上で野生動物の位置と移動軌跡とを見ることができる。野生動物のＩＤ毎に、ＬＥＤの色を変えるようにしてもよい。
【０１５７】
このような手法によって、世界各地における野生動物の状態をリアルタイムに再現することができ、野生動物を身近に感じることができ、しかも、野生動物の生態もわかる。
【０１５８】
以上が、環境情報通信システムＣＳ１の詳細である。本実施例によって、自分の馴染みの場所、好きな場所、または、行ってみたい場所や、その場所における植物や樹木等の自然が現在どういう環境状態か、または宇宙環境や野生動物の状態等を、特に意識することなく、知らず知らずのうちに感じ取ることが可能であり、さらにその場所や自然とのつながりを体感することができる。
【実施例２】
【０１５９】
次に、環境情報通信システムにおいて、ユーザの状態情報に応じて、環境情報出力装置３０の出力状態を制御する方法について説明する。
【０１６０】
図１７は、本発明の実施例２である環境情報通信システムＣＳ２を示す図である。
【０１６１】
環境情報通信システムＣＳ２は、環境情報収集装置１０と、環境情報サーバ２０と、環境情報出力装置３０ａとを有する。
【０１６２】
環境情報収集装置１０は、実施例１における環境情報収集装置１０と同一の構成である。
【０１６３】
環境情報サーバ２０は、通信管理手段２１と、属性管理手段２２と、データ変換手段２３と、データ記録手段２４とによって構成され、ネットワークを介して、環境情報収集装置１０と接続される。
【０１６４】
通信管理手段２１は、環境情報収集装置１０との通信を管理する手段であり、属性管理手段２２は、各環境情報の環境属性と各ユーザのユーザ属性とを管理する手段である。データ変換手段２３は、受信した環境情報を宛先ユーザのユーザ属性に基づいて、宛先ユーザの環境情報出力装置３０ａに合う形式にデータを変換する手段であり、データ記録手段２４は、受信した環境情報やユーザ状態情報や環境情報収集装置１０と環境情報出力装置３０ａの接続・未接続情報を記録する手段である。
【０１６５】
環境情報出力装置３０ａは、通信管理手段３１と、環境情報出力手段３２と、ユーザ情報入出力手段３３と、ユーザ属性管理手段３４と、データ記録手段３５と、ユーザ情報取得手段３６とによって構成され、ネットワークを介して、環境情報サーバ２０と接続される。
【０１６６】
通信管理手段３１は、環境情報サーバ２０との通信を管理する手段であり、環境情報出力手段３２は、受信した環境情報を出力する手段である。ユーザ情報入出力手段３３は、ユーザの存在・不在や忙しさや気分や健康状態を取得するユーザ状態取得手段、は、ユーザのシステム上のＩＤやパスワードや端末ＩＤや連絡先や必要とする環境情報ＩＤ等のユーザ属性を管理する手段である。データ記録手段３５は、ユーザ属性と受信した環境情報を記録する手段である。
【０１６７】
図１８は、環境情報出力装置３０ａにおけるユーザ状態取得手段３６の構成を示す図である。
【０１６８】
ユーザ状態取得手段３６は、各種センサと電源装置とコントローラとによって構成されている。
【０１６９】
上記コントローラは、各種センサからの情報を管理する他、センサ情報をユーザ属性管理手段３４に渡す。上記電源装置は、各種センサやコントローラに電源を供給し、この電源装置は、環境情報出力装置３０ａ内の他の各手段における電源装置と共有するようにしてもよい。上記各種センサは、人の存在や動きを感知する赤外線方式の人感センサ、人の体温を遠隔から測定する赤外線方式の温度センサ、環境情報出力装置３０ａの周辺の明るさを検出する照度センサによって構成されている。
【０１７０】
人感センサが、ユーザの状態として存在、不在、動き回っている、停止しているという状態情報を取得する。また、温度センサは、通常体温、高体温、低体温という状態情報を取得し、照度センサは、ユーザの周辺が明るい、薄暗い、暗いという状態情報が取得される。
【０１７１】
次に、環境情報収集装置１０が収集した環境情報を、環境情報出力装置３０ａが取得したユーザの状態情報に応じて、環境情報出力装置３０ａが出力するまでの手順について説明する。
【０１７２】
図１９、図２０は、環境情報収集装置１０が収集した環境情報を、環境情報出力装置３０ａが取得したユーザの状態情報に応じて、環境情報出力装置３０ａで出力するまでの手順を示すフローチャートである。
【０１７３】
なお、ここでは、当該環境情報収集装置１０が収集した環境情報を、当該環境情報出力装置３０ａに出力するように、環境情報サーバ２０に登録されているとし、しかも、図４、図５の手順を経て、環境情報収集装置１０、環境情報出力装置３０ａともに、環境情報サーバ２０との通信を開始しているとする。
【０１７４】
ユーザの状態情報に応じて、環境情報収集装置１０が収集した環境情報を、環境情報出力装置３０ａで出力する詳細手順は、次のような手順である。
【０１７５】
環境情報収集装置１０の環境情報取得手段１１が、変化した環境情報を取得し、環境属性管理手段１２に送信する。なお、環境情報収集装置１０と環境情報サーバ２０との通信開始時には、開始時における全環境情報を取得して送信する。ここでの環境情報は、各種センサの値である（Ｓ８０）。
【０１７６】
環境情報収集装置１０の環境属性管理手段１２は、データ記録手段１４から取り出した環境属性情報を環境情報に付加し、通信管理手段１３に送信し、通信管理手段１３は、受信した情報を環境情報サーバ２０に送信する。ここで、環境情報に付加される環境属性情報は、環境情報収集装置１０のＩＤと、それぞれのセンサ値に対する環境情報ＩＤと、環境情報サーバ２０のアドレスとである（Ｓ８１）。
【０１７７】
環境情報サーバ２０の通信管理手段２１は、受け取った環境情報と環境属性情報とを属性管理手段２２に渡し、属性管理手段２２は、受け取った環境情報を、環境属性情報に基づいてデータ記録手段２４に記録する（Ｓ８２）。
【０１７８】
環境情報出力装置３０ａのユーザ状態取得手段３６が、変化したユーザ状態情報を取得し、ユーザ属性管理手段３４に送信する。なお、環境情報出力装置３０ａと環境情報サーバ２０との通信開始時には、開始時におけるユーザ状態情報を取得し、送信する。ここでのユーザ状態情報は、存在、不在、動き回っている、停止している、通常体温、高体温、低体温、ユーザの周辺が明るい、薄暗い、暗いという情報である（Ｓ８３）。
【０１７９】
環境情報出力装置３０ａのユーザ属性管理手段３４は、データ記録手段３５から取り出したユーザ属性情報を、ユーザ状態情報に付加し、通信管理手段３１に送信し、通信管理手段３１は、受信した情報を、環境情報サーバ２０に送信する。ここで、ユーザ状態情報に付加されるユーザ属性情報は、環境情報出力装置３０ａのＩＤと、それぞれのユーザ状態情報ＩＤと、環境情報サーバ２０のアドレスとである（Ｓ８４）。
【０１８０】
環境情報サーバ２０の通信管理手段２１は、受け取ったユーザ状態情報とユーザ属性情報とを、属性管理手段２２に渡し、属性管理手段２２は、受け取ったユーザ状態情報を、ユーザ属性情報に基づいてデータ記録手段２４に記録する（Ｓ８５）。
【０１８１】
環境情報サーバ２０の属性管理手段２２は、受け取った環境情報に対して配信先と登録されているユーザ属性情報とユーザ状態情報とを、データ記録手段２４から抽出し、ユーザ状態情報に基づいて、配信を判断する（Ｓ８６）。
【０１８２】
ユーザ状態情報が不在である場合、属性管理手段２２が配信不許可の判断を下し、配信を停止する。また、たとえば、ユーザが存在していても、ユーザの周りが暗いという状態である場合、就寝中という判断をし、配信を停止する（Ｓ８７）。
【０１８３】
ユーザ状態情報が存在である場合、属性管理手段２２が配信許可の判断を下し、環境情報、環境属性情報、ユーザ属性情報を、データ変換手段２３に渡す。なお、ここでのユーザ属性情報は、環境情報出力装置３０ａのアドレス、ユーザＩＤ、環境情報出力装置３０ａの種類、端末ＩＤによって構成されている。また、データ変換手段２３は、受信したユーザ属性に含まれている環境情報出力装置３０ａの種類情報を抽出し、その環境情報出力装置３０ａの出力形態に合う形式に、受け取った環境情報を変換し、通信管理手段３１に渡す（Ｓ８８）。
【０１８４】
環境情報サーバ２０の通信管理手段２１は、受け取ったユーザ属性情報から、環境情報出力装置３０ａのアドレスを抽出し、この抽出されたアドレスに基づいて、Ｓ８８において変換された環境情報と環境属性情報とを、環境情報出力装置３０ａに送信する。（Ｓ８９）。
【０１８５】
環境情報出力装置３０ａの通信管理手段３１は、受け取った環境情報と環境情報属性情報とを、環境情報出力手段３２に渡し、環境情報出力手段３２は、受け取った環境情報と環境属性とを出力する（Ｓ９０）。
【０１８６】
上記手順によって、ユーザの状態情報に応じて、環境情報収集装置１０の周辺の環境情報を、環境情報出力装置３０ａにおいて出力させることができる。
【０１８７】
また、環境情報通信システムＣＳ２において、たとえばユーザが動き回り、体温が通常よりも高い場合には、高原の涼しい箇所に設置してある環境情報収集装置１０を、環境情報サーバ２０側が自動的に選択し、この選択された環境情報を、環境情報出力装置３０ａに送信し、高原の涼しさ感を、空気感によってリアルタイムに体感させることができ、逆に、ユーザが停止し、かつ体温が通常よりも低い場合には、たとえばハワイ等の暖かさ感を、空気感によってリアルタイムに体感させることができる。
【０１８８】
つまり、これらによって、現在のユーザの状態情報に適合する最適な環境情報を、環境情報サーバ２０が自動的に選択し、この選択された環境情報を収集している環境情報収集装置１０が設置されている場所における環境情報を、リアルタイムに環境情報出力装置３０ａが出力することができる。
【０１８９】
さらに、ユーザの馴染みの場所、好きな場所、または行ってみたい場所等を、ユーザが選択しない場合、ユーザが通常状態であれば、各ユーザに提供する環境情報を、環境情報サーバ２０が、一定時間毎にランダムに選択し、一方、ユーザの状態が通常と変化していれば、ユーザ状態に最適な環境情報を、環境情報サーバ２０が選択し、この選択された環境情報を収集している環境情報収集装置１０が設置されている場所における環境情報を、リアルタイムに環境情報出力装置３０ａが出力するようにしてもよい。
【０１９０】
図２１は、密閉された空間において、椅子と環境情報出力手段３２とが設置されている環境情報出力ボックス３２Ｂを示す図である。
【０１９１】
上記環境情報出力ボックス３２Ｂは、ユーザの選択、環境情報サーバ２０が行うランダム選択、または環境情報サーバ２０がユーザの状態情報に適合する最適な環境情報を自動的に行う選択によって、環境情報収集装置１０が設置されている場所における環境情報を、リアルタイムに環境情報出力手段３２が出力するボックスである。
【０１９２】
図２１に示す例は、空気感を体感する例であるが、この他、明るさ感や音等を、密閉した空間で体感することによって、より一層の環境との一体感を体感することができる。
【０１９３】
なお、環境情報通信システムＣＳ１、ＣＳ２は、所定の環境情報を取得する複数のセンサを備えている環境情報取得手段と、上記環境情報の環境属性を管理する環境属性管理手段とを具備する環境情報収集装置を有し、上記環境情報収集装置との通信を管理する通信管理手段と、各環境情報の環境属性と各ユーザのユーザ属性とを管理する属性管理手段と、受信した環境情報を、宛先ユーザのユーザ属性に基づいて、宛先ユーザの環境情報出力装置に合う形式にデータを変換するデータ変換手段とを具備する環境情報サーバを有し、上記環境情報サーバから受信した環境情報を出力する環境情報出力手段と、端末属性情報、ユーザ情報を入出力するユーザ情報入出力手段と、ユーザ属性を管理するユーザ属性管理手段とを具備する環境情報出力装置を有し、ネットワークを利用して、上記環境情報収集装置が設置されている場所の環境情報を、上記環境情報出力装置が出力する環境情報通信システムの例である。
【０１９４】
この場合、上記環境情報収集装置は、上記環境情報と、上記環境属性とを記録するデータ記録手段を有し、上記環境情報サーバは、上記環境情報収集装置と上記環境情報出力装置との接続・未接続情報と、上記ユーザ属性と、受信した上記環境情報とを記録するデータ記録手段を有し、上記環境情報出力装置は、上記ユーザ属性と、上記環境情報とを記録するデータ記録手段を有する。
【０１９５】
上記環境情報の環境属性は、システム上のＩＤ、パスワード、位置情報、装置のＩＤ、環境情報管理者の連絡先のうちの少なくとも１つであり、上記ユーザ属性は、ユーザのシステム上のＩＤ、パスワード、端末ＩＤ、連絡先、必要とする環境情報ＩＤのうちの少なくとも１つである。
【０１９６】
ユーザの状態情報に応じて、上記環境情報出力装置の出力状態を制御し、現在のユーザの状態情報に適合する最適な環境情報を、上記環境情報サーバが自動的に選択し、この選択された環境情報を収集している上記環境情報収集装置が設置されている場所における環境情報を、上記環境情報出力装置が出力する。
【０１９７】
上記環境情報サーバが、環境情報をランダムに選択し、この選択された環境情報を収集している環境情報収集装置が設置されている場所における環境情報を、上記環境情報出力装置が出力し、上記環境情報出力装置は、リアルタイムまたは記録された過去の環境で、上記環境情報を出力する。
【０１９８】
上記環境情報出力手段は、ユーザの選択、上記環境情報サーバが行うランダム選択、または上記環境情報サーバがユーザの状態情報に適合する最適な環境情報を、自動的な選択によって、上記環境情報収集装置の設置場所における環境情報を出力する手段であり、密閉されているボックス内に、椅子と上記環境情報出力装置とが設置されている環境情報出力ボックスを有する。
【０１９９】
また、環境情報収集装置１０は、所定の環境情報を取得する複数のセンサを備えている環境情報取得手段と、上記環境情報のそれぞれのシステム上のＩＤ、パスワード、位置情報、環境情報収集装置のＩＤ、環境情報管理者の連絡先のうちの少なくとも１つの環境属性を管理する環境属性管理手段と、ネットワークを介して、環境情報サーバと接続され、上記環境サーバとの間における通信を管理する通信管理手段と、環境情報または環境属性を記録するデータ記録手段とを有する環境情報収集装置の例である。
【０２００】
この場合、上記環境情報取得手段が、上記環境属性管理手段から切り離され、上記環境情報取得手段と上記環境属性管理手段とが無線で接続される。
【０２０１】
さらに、環境情報出力装置３０は、ネットワークを介して、環境情報収集装置から受信した環境情報を出力する環境情報出力手段と、端末属性情報、ユーザ情報を入出力するユーザ情報入出力手段と、ユーザ属性を管理するユーザ属性管理手段と、上記環境情報収集装置との間における接続・未接続情報、上記ユーザ属性、受信した上記環境情報のうちの少なくとも１つを記録するデータ記録手段とを有する環境情報出力装置の例である。
【０２０２】
この場合、上記環境情報出力装置は、リアルタイムで、または記録された過去の環境で、上記環境情報を出力する。
【図面の簡単な説明】
【０２０３】
【図１】本発明の実施例１である環境情報通信システムＣＳ１を示すブロック図である。
【図２】環境情報通信システムＣＳ１において、ユーザ属性登録手順を示すフローチャートである。
【図３】上記実施例において、環境属性を登録する手順を示すフローチャートである。
【図４】環境情報収集装置１０と環境情報サーバ２０とが通信を開始する手順を示すフローチャートである。
【図５】環境情報出力装置３０と環境情報サーバ２０とが通信を開始する手順を示すフローチャートである。
【図６】環境情報収集装置１０が収集した環境情報を、環境情報出力装置３０が出力する手順を示すフローチャートである。
【図７】環境情報収集装置１０における環境情報取得手段１１の構成を示す図である。
【図８】環境情報出力装置３０における環境情報出力手段３２の構成を示す図である。
【図９】環境情報出力手段３２が空気感や季節感を伝える例を示す図である。
【図１０】上記実施例において、明るさによって特定の場所の時差感や季節感や気候感を伝える環境情報出力装置３０の一例を示す図である。
【図１１】環境情報出力装置３０における環境情報出力手段３２の構成を示す図である。
【図１２】波の状態を伝える環境情報出力手段３２の例を示す図である。
【図１３】環境情報通信システムＣＳ１において、特定の場所における農作物の状態を体感する環境情報取得手段１１の一例を示すブロック図である。
【図１４】環境情報出力手段３２の一例である地球儀型環境情報出力手段３２を示す図である。
【図１５】環境情報収集装置１０の環境情報取得手段１１の一例を示す図である。
【図１６】環境情報出力手段３２の一例を示す図である。
【図１７】環境情報通信システムＣＳ２を示す図である。
【図１８】環境情報出力装置３０ａにおけるユーザ状態取得手段３６の構成を示す図である。
【図１９】環境情報収集装置１０が収集した環境情報を、環境情報出力装置３０ａが取得したユーザの状態情報に応じて、環境情報出力装置３０ａで出力するまでの手順を示すフローチャートである。
【図２０】環境情報収集装置１０が収集した環境情報を、環境情報出力装置３０ａが取得したユーザの状態情報に応じて、環境情報出力装置３０ａで出力するまでの手順を示すフローチャートである。
【図２１】密閉された空間において、椅子と環境情報出力手段３２とが設置されている環境情報出力ボックス３２Ｂを示す図である。
【符号の説明】
【０２０４】
ＣＳ１、ＣＳ２…環境情報通信システム、
１０…環境情報収集装置、
１１…通信管理手段、
１２…環境属性管理手段、
１３…通信管理手段、
１４…データ記録手段、
２０…環境情報サーバ、
２１…通信管理手段、
２２…属性管理手段、
２３…データ変換手段、
２４…データ記録手段、
３０、３０ａ…環境情報出力装置、
３１…通信管理手段、
３２…環境情報出力手段、
３２Ｂ…環境情報出力ボックス、
３３…ユーザ情報入出力手段、
３４…ユーザ属性管理手段、
３５…データ記録手段、
３６…ユーザ状態取得手段。
【図１】
2005135196.tif 000003
【図２】
2005135196.tif 000004
【図３】
2005135196.tif 000005
【図４】
2005135196.tif 000006
【図５】
2005135196.tif 000007
【図６】
2005135196.tif 000008
【図７】
2005135196.tif 000009
【図８】
2005135196.tif 000010
【図９】
2005135196.tif 000011
【図１０】
2005135196.tif 000012
【図１１】
2005135196.tif 000013
【図１２】
2005135196.tif 000014
【図１３】
2005135196.tif 000015
【図１４】
2005135196.tif 000016
【図１５】
2005135196.tif 000017
【図１６】
2005135196.tif 000018
【図１７】
2005135196.tif 000019
【図１８】
2005135196.tif 000020
【図１９】
2005135196.tif 000021
【図２０】
2005135196.tif 000022
【図２１】
2005135196.tif 000023